(57)【要約】【課題】  移動通信端末装置におけるウェブサイトの閲覧において、利用者の利便性を向上させる。【解決手段】  ファイル取得部３２が、ウェブサイトの内容を格納したファイルをウェブサーバより取得する。その後、表示制御部３４が、当該ファイルの内容を移動通信端末装置のメモリ領域上に展開し、表示対象領域内の画像を、所定の表示形態に従うように、表示部１３に表示させる。ここで、所定の表示形態には、表示制御部３４によって展開される内容をそのまま対象とした表示形態である第１表示形態と、表示部１３に適合させた表示形態である第２表示形態とが含まれている。また、操作部１２を利用した操作入力によって、表示制御部３４によって表示される表示対象領域を、適宜変化させることができ、更に、表示画像を適宜拡大又は縮小させることができる。【選択図】  図４
2008071269.tif 000002
【特許請求の範囲】
【請求項１】
ウェブブラウザを用いてウェブサイトを閲覧する際に、移動通信端末装置において実行されるウェブ画面表示方法であって、
前記ウェブサイトの内容を格納したファイルを、前記ウェブサイトを保持するウェブサーバより取得するファイル取得工程と；
前記ファイルの内容をメモリ領域上に展開し、前記ウェブブラウザにおいて指定された表示対象領域内の画像を、前記ウェブブラウザにおいて指定された所定の表示形態によって、前記移動通信端末装置の表示手段に表示させる表示制御工程と；を備えるウェブ画面制御方法。
【請求項２】
前記所定の表示形態には、前記表示制御工程において展開される内容をそのまま対象とした表示形態である第１表示形態と、前記表示部に適合させた表示形態である第２表示形態とが含まれる、ことを特徴とする請求項１に記載のウェブ画面制御方法。
【請求項３】
ウェブサイトを閲覧するためのウェブブラウザを有する移動通信端末装置であって、
画像を表示する表示手段と；
前記ウェブサイトの内容を格納したファイルを、前記ウェブサイトを保持するウェブサーバより取得するファイル取得手段と；
前記ファイルの内容をメモリ領域上に展開し、前記ウェブブラウザにおいて指定された表示対象領域内の画像を、前記ウェブブラウザにおいて指定された所定の表示形態によって、前記表示手段に表示させる表示制御手段と；を備える移動通信端末装置。
【請求項４】
前記所定の表示形態には、前記表示制御部によって展開される内容をそのまま対象とした表示形態である第１表示形態と、前記表示手段に適合させた表示形態である第２表示形態とが含まれる、ことを特徴とする請求項３に記載のウェブ画面表示方法。
【請求項５】
前記表示制御手段によって表示される表示対象領域を変化させる入力操作手段を更に備える、請求項３又は４に記載の移動通信端末装置。
【請求項６】
前記表示制御手段によって表示される表示画像を、前記入力操作手段からの入力に対応する倍率に従って変化させる倍率制御手段を更に備える、ことを特徴とする請求項３〜５のいずれか一項に記載の移動通信端末装置。
【発明の詳細な説明】
【技術分野】
【０００１】
本発明は、ウェブ表示制御方法及び移動通信端末装置に係り、より詳しくは、ウェブブラウザを用いてウェブサイトを閲覧する際に、移動通信端末装置において行われるウェブ表示制御方法、及び、当該ウェブ表示制御方法を使用する移動通信端末装置に関するものである。
【背景技術】
【０００２】
従来から、コンピュータや移動通信端末装置の社会への普及が目覚しい。移動通信端末装置には、通話機能や電子メール送受信機能だけでなく、ウェブブラウザも標準的に搭載されている。さらに、移動通信端末装置からでもパーソナルコンピュータ（以下、ＰＣともいう）から見るのと同じである、汎用的なウェブサイトを閲覧したいという利用者の要望が高まってきた。よって、ウェブブラウザとしては、移動通信端末装置において使用するための専用のブラウザ（以下、「モバイルブラウザ」ともいう）機能に付け加え、汎用的なウェブサイトを閲覧できるブラウザ（以下、「フルブラウザ」ともいう）機能をも搭載した機種が登場してきている。以下の非特許文献１においては、フルブラウザとして代表的なブラウザの動向が報じられている。
【０００３】
【非特許文献１】坪山博貴、“話題のOperaはどこまで使える？”、[online]、平成１６年５月２７日、ITmedia、[平成１８年８月２２日検索]、インターネット<URL: http://plusd.itmedia.co.jp/mobile/articles/0405/27/news003.html>
【発明の開示】
【発明が解決しようとする課題】
【０００４】
移動通信端末に搭載されたフルブラウザにおいては、表示対象であるウェブページはＰＣ用のものであるので、そのごく一部を表示することになる。その場合、画面の中に納まるように適宜表示対象内容を折り返して表示したり、あるいは横幅に制限を加えて折り返したりして表示する等の手法が取られていた。つまり、移動機でも見易いようにするための工夫が取られているわけである。しかし、大きくスクロール等することになっても、汎用的なウェブサイトをそのまま閲覧したいという要望もあった。
【０００５】
本発明は、上記の事情を鑑みてなされたものであり、ウェブサイトの閲覧に際して利用者の利便性を向上させることができるウェブ表示制御方法及び移動通信端末装置を提供することを目的とする。
【課題を解決するための手段】
【０００６】
本発明は、第１の観点からいって、ウェブブラウザを用いてウェブサイトを閲覧する際に、移動通信端末装置において実行されるウェブ画面表示方法であって、前記ウェブサイトの内容を格納したファイルを、前記ウェブサイトを保持するウェブサーバより取得するファイル取得工程と；前記ファイルの内容をメモリ領域上に展開し、前記ウェブブラウザにおいて指定された表示対象領域内の画像を、前記ウェブブラウザにおいて指定された所定の表示形態によって、前記移動通信端末装置の表示手段に表示させる表示制御工程と；を備える、ウェブ表示制御方法である。
【０００７】
ウェブサイトの閲覧をするにあたっては、ウェブブラウザを使用してウェブサーバにアクセスし、まず、当該ウェブサイトの内容を格納したファイルを当該ウェブサーバより取得する。
【０００８】
そして、当該ファイルの内容を移動通信端末装置のメモリ領域上に展開し、ウェブブラウザにおける入力によって指定された表示対象領域内の画像を、ウェブブラウザにおいて指定された所定の表示形態に従うように、当該移動通信端末装置の表示手段に表示させる。このため、ウェブサイトの閲覧にあたっては、ウェブブラウザにおいて指定された所定の表示形態に従って表示させることができる。
【０００９】
したがって、本発明のウェブ表示制御方法によれば、移動通信端末装置における柔軟な画面表示制御を行うことができるので、ウェブサイトの閲覧に際して、利用者の利便性を向上させることができる。
【００１０】
本発明のウェブ表示制御方法では、前記所定の表示形態には、前記表示制御工程において展開される内容をそのまま対象とした表示形態である第１表示形態と、前記表示手段に適合させた表示形態である第２表示形態とが含まれるとすることができる。
【００１１】
表示制御工程において展開される内容をそのまま対象とした表示形態とは、ファイルに記載された内容を展開して、そのまま表示させるような表示形態を指す。表示手段に適合させた表示形態とは、ファイルに記載された内容を展開しつつ、移動通信端末装置の表示手段に適合させるべく、適宜改行させるなどして、利用者にとっての見易さに配慮したような表示形態を指す。つまり、これらを所定の表示形態に含むことで、いずれかより利用者が選択することができることとなる。
【００１２】
本発明は、第２の観点からいって、ウェブサイトを閲覧するためのウェブブラウザを有する移動通信端末装置であって、画像を表示する表示手段と；前記ウェブサイトの内容を格納したファイルを、前記ウェブサイトを保持するウェブサーバより取得するファイル取得手段と；前記ファイルの内容をメモリ領域上に展開し、前記ウェブブラウザにおいて指定された表示対象領域内の画像を、前記ウェブブラウザにおいて指定された所定の表示形態によって、前記表示手段に表示させる表示制御手段と；を備える、移動通信端末装置である。
【００１３】
この移動通信端末装置では、ウェブサイトの閲覧をするにあたって、ウェブブラウザを使用してウェブサーバにアクセスし、ファイル取得手段が、当該ウェブサイトの内容を格納したファイルを当該ウェブサーバより取得する。
【００１４】
そして、表示制御手段が、当該ファイルの内容を移動通信端末装置のメモリ領域上に展開し、ウェブブラウザにおける入力によって指定された表示対象領域内の画像を、ウェブブラウザにおいて指定された所定の表示形態に従うように、表示手段に表示させる。
【００１５】
すなわち、本発明の移動通信端末装置は、上述した本発明のウェブ表示制御方法を使用してウェブサイトを閲覧することができる。したがって、本発明の移動通信端末装置によれば、ウェブサイトの閲覧に際して、柔軟な画面表示制御を行うことができるので、利用者の利便性を向上させることができる。
【００１６】
本発明の移動通信端末装置では、前記所定の表示形態には、前記表示制御手段において展開される内容をそのまま対象とした表示形態である第１表示形態と、前記表示手段に適合させた表示形態である第２表示形態とを含むとすることができる。つまり、これらを所定の表示形態に含むことで、いずれかより利用者が選択することができる。
【００１７】
また、本発明の移動通信端末装置では、前記表示制御手段によって表示された表示対象領域を変化させる入力操作手段を更に備える、とすることができる。
【００１８】
この場合には、入力操作手段の操作によって、表示制御手段によって表示される表示対象領域を、適宜変化させることができる。つまり、適当な入力操作手段への入力操作を行うことで、表示対象領域をスクロールさせ、表示対象領域を移動させることができる。これにより、利用者の所望する表示対象領域内の画像を表示させることができる。
【００１９】
また、本発明の移動通信端末装置では、前記表示制御手段によって表示される表示画像を、前記入力操作手段からの入力に対応する倍率に従って変化させる倍率制御手段を更に備える、とすることができる。
【００２０】
この場合には、入力操作手段の操作によって、表示制御手段によって表示される表示画像を、適宜拡大又は縮小させることができる。つまり、入力操作手段を適切に用いることで、表示倍率を変化させ、表示画像の拡大又は縮小を行うことができる。これにより、利用者の所望する表示倍率で、表示画像を変化させることができる。
【発明の効果】
【００２１】
よって、本発明のウェブ表示制御方法によれば、移動通信端末装置におけるウェブサイトの閲覧に際して、利用者の利便性を向上させることができるという効果を奏する。
【００２２】
また、本発明の移動通信端末装置によれば、ウェブサイトの閲覧に際して、利用者の利便性を向上させることができるという効果を奏する。
【発明を実施するための最良の形態】
【００２３】
以下、本発明の実施形態を、図１〜図５を参照しつつ説明する。なお、これらの図においては、同一又は同等の要素には同一の符号を付し、重複する説明を省略する。
【００２４】
[構成]
図１には、移動通信端末装置である携帯電話装置１０を含むシステム構成１００の概略が示されている。携帯電話装置１０は基地局５１と無線通信を行い、基地局５１を介してネットワーク５０に接続されている。また、ネットワーク５０には、ウェブサーバ６０が接続されている。なお、図１には代表的に基地局５１が一つだけネットワーク５０に接続されているが、実際には複数の基地局が接続されている。
【００２５】
図２には、携帯電話装置１０の外観構成が概略的に示されている。ここで、図２（Ａ）には、携帯電話装置１０の外観の正面図が示され、図２（Ｂ）には、携帯電話装置１０の外観の背面図が示されている。
【００２６】
図２（Ａ）及び図２（Ｂ）に総合的に示されるように、携帯電話装置１０は、（ａ）携帯電話本体１１と、（ｂ）電話番号を入力するためのテンキー、及び、動作モードの切換等の各種指令を、後述する制御部２１（図３参照）に入力するためのファンクションキーを有する操作部１２（入力操作手段）と、（ｃ）操作案内、動作状況、受信メッセージ等を表示する液晶表示装置を有する表示手段としての表示部１３とを備えている。また、携帯電話装置１０は、（ｄ）通話時に通信相手から送られてきた音声信号を再生する通話用スピーカ１４と、（ｅ）集音時に音を入力したり、通話時に音声を入力したりするためのマイクロフォン１５と、（ｆ）着信音や案内音を発生するための案内用スピーカ１６と、（ｇ）基地局との間で無線信号を授受するためのアンテナ１７とを備えている。
【００２７】
携帯電話本体１１は、その内部に、図３に示されるように、（ｉ）携帯電話装置１０全体の動作を統括制御する制御部２１と、(ii)アンテナ１７を介して、基地局との間で無線信号の送受信を行う送受信部２２と、（iii）制御部２１で実行されるプログラムや各種データを格納する、読出専用メモリ（ＲＯＭ）素子やランダムアクセスメモリ（ＲＡＭ）素子を有する記憶部２３とを備えている。
【００２８】
さらに、制御部２１はその内部にウェブブラウザ３１を備える。また、記憶部２３の内部には一時記憶領域２４及び表示形態記憶領域２５を備えている。表示形態記憶領域２５の中では、「全画面モードで表示」及び「端末用モードで表示」が含まれており、予めそのいずれか１つに設定されている。
【００２９】
ウェブブラウザ３１は、その内部に、ファイル取得部３２（ファイル取得手段）及びウェブ表示制御部３３を備える。ウェブ表示制御部３３の内部には、図４に示すように、表示制御部３４（表示制御手段）、倍率制御部３５（倍率制御手段）を備えている。
【００３０】
ファイル取得部３２は、ウェブサーバから特定ウェブサイトの内容を表すファイルであるＨＴＭＬファイルをダウンロードする。
【００３１】
表示制御部３４は、ＨＴＭＬファイルの内容をメモリ領域上に展開し、ウェブブラウザ３１において指定された表示対象領域内の画像を、ウェブブラウザ３１において指定された所定の表示形態によって、表示部１３に表示させる。
【００３２】
なお、操作部１２（入力操作手段）に、表示制御部３４によって表示される表示対象領域を変化させる指令が入力されるようになっている。
【００３３】
倍率制御部３５は、表示制御手段によって表示された表示対象領域を、操作部１２からの入力に対応する倍率に基づいて、表示部１３における表示倍率を変化させる。
【００３４】
[動作]
以上の様に構成されたウェブ表示制御部の動作について、図５のフローチャートに沿って説明する。
【００３５】
ウェブブラウザ３１を立ち上げ、ウェブサイトを閲覧しようとしてウェブサーバ６０にアクセスしようとするに当たり、ファイル取得部３２が当該ウェブサイトの内容を記述したＨＴＭＬファイルをダウンロードする。すると、ウェブブラウザ３１中のウェブ表示制御部３３が起動する。
【００３６】
ステップＳ１１において、表示制御部３４は、表示形態記憶領域２５を調べ、現在の表示形態が、「全画面モードで表示」及び「端末用モードで表示」のうち、「全画面モードで表示」が選択されているか否かを判定する。
【００３７】
当該判定の結果が肯定的であった場合には、「端末用モードで表示」が選択されているということなので、処理はステップＳ１２へ進む。ステップＳ１２においては、表示制御部３４が、ダウンロードされたＨＴＭＬファイルを展開し、当該携帯電話装置１０上において定められた通りに、適宜画面幅で折り返し表示する等して、携帯電話装置で見易いような状態で、初期表示領域を表示させる。よって、利用者にとっては、当該携帯電話装置から閲覧するに最適と思われる見た目でウェブサイトを閲覧することができる。その後、処理はステップＳ１４へ進む。
【００３８】
ステップＳ１１における判定の結果が否定的であった場合には、「全画面モードで表示」が選択されているということなので、処理はステップＳ１３へ進む。ステップＳ１３においては、表示制御部３４が、ダウンロードされたＨＴＭＬファイルを展開し、ＰＣでウェブ画面を表示させる際のように、仮想画像全体における初期表示領域を表示させる。よって、利用者にとっては、ＰＣから閲覧するのと同じ見た目でウェブサイトを閲覧することができる。その後、処理はステップＳ１４へ進む。
【００３９】
ステップＳ１４においては、操作部１２より、スクロール操作がなされたか否かが判定される。判定の結果が肯定的であった場合には、処理はステップＳ１５へ進み、表示制御部３４は、入力された通りに表示対象領域を変化させる。その後、処理はステップＳ１６へ進む。また、判定の結果が否定的であった場合にも、処理はステップＳ１６へ進む。
【００４０】
ステップＳ１６においては、操作部１２より、倍率操作がなされたか否かが判定される。判定の結果が肯定的であった場合には、処理はステップＳ１７へ進み、倍率制御部３５は、入力された倍率に従って表示画像を変化させる。その後、処理は終了する。また、判定の結果が否定的であった場合にも、処理は終了する。
【００４１】
また、ウェブブラウザ３１の動作中に表示形態が切り替えられた場合には、ウェブ表示制御部３３により、その旨が表示形態記憶領域２５に記憶される。そして、フローチャートのステップＳ１２又はステップＳ１３の動作が行われる。
【００４２】
以上説明したように、ウェブサイトの閲覧をするにあたっては、ウェブブラウザ３１を使用してウェブサーバ６０にアクセスし、まず、ファイル取得部３２が、当該ウェブサイトの内容を格納したファイルを当該ウェブサーバ６０より取得する。
【００４３】
そして、表示制御部３４が、当該ファイルの内容を移動通信端末装置のメモリ領域上に展開し、ウェブブラウザにおける入力によって指定された表示対象領域内の画像を、ウェブブラウザにおいて指定された所定の表示形態に従うように、当該移動通信端末装置の表示部に表示させる。
【００４４】
よって、ウェブサイトの閲覧にあたっては、ウェブブラウザにおいて指定された所定の表示形態に従って表示させることができる。
【００４５】
また、本実施形態では、表示形態には、表示制御部３４によって展開される内容をそのまま対象とした表示形態である「全画面モードで表示」の形態（第１表示形態）と、表示部１３に適合させた表示形態である「端末用モードで表示」の形態（第２表示形態）とが含まれ、操作部１２の操作により、任意にいずれかを選択できるようになっている。このため、利用者は、自身の趣味感に合わせた形態で、ウェブページを表示部１３に表示させることができる。
【００４６】
また、本実施形態では、操作部１２のキーを操作することにより、表示制御部３４によって表示される表示対象領域を変化させることができる。この場合には、操作部１２によって、表示制御部３４によって表示される表示対象領域を、利用者が所望の態様で変化させることができる。つまり、操作部１２を用いることで、表示対象領域をスクロールさせ、表示対象領域を移動させることができる。これにより、利用者の所望する表示対象領域を表示させることができる。
【００４７】
また、本実施形態では、表示制御部３４によって表示される画像を、操作部１２からの入力に対応する倍率に基づいて表示部１３における表示倍率を変化させることができる。この場合には、操作部１２によって、表示制御部３４により表示された表示対象領域を、適宜拡大又は縮小させることができる。つまり、操作部１２におけるキーを適切に操作することで、表示倍率を変化させ、表示対象領域の拡大又は縮小を行うことができる。これにより、利用者の所望する表示倍率で、表示画像を変化させることができる。
【００４８】
[実施形態の変形]
上記の実施形態では、移動通信端末装置を携帯電話装置であるとしたが、他の移動通信端末装置にも適用できることは勿論である。
【産業上の利用可能性】
【００４９】
本発明のウェブ表示制御方法は、移動通信端末装置におけるウェブサイトの表示制御に適用することができる。また、本発明の移動通信端末装置は、ウェブブラウザ機能を有する移動通信端末装置に適用することができる。
【図面の簡単な説明】
【００５０】
【図１】携帯電話装置を備えるシステムの概略図である。
【図２】携帯電話装置の外観を示す概略図である。
【図３】図２の装置の内部構成を示すブロック図である。
【図４】図２の装置におけるウェブ表示制御部の構成を示すブロック図である。
【図５】図２の装置におけるウェブ表示制御部の動作を示すフロー図である。
【符号の説明】
【００５１】
１０…携帯電話装置（通信端末装置）、１１…携帯電話本体、１２…操作部、１３…表示部、１４…通話用スピーカ、１５…マイクロフォン、１６…案内用スピーカ、１７…アンテナ、２１…制御部、２２…送受信部、２３…記憶部、２４…一時記憶領域、２５…表示形態記憶領域、３１…ウェブブラウザ、３２…ファイル取得部、３３…ウェブ表示制御部、３４…表示制御部、３５…倍率制御部、５０…ネットワーク、５１…基地局、６０…ウェブサーバ、１００…システム。
【図１】
2008071269.tif 000003
【図２】
2008071269.tif 000004
【図３】
2008071269.tif 000005
【図４】
2008071269.tif 000006
【図５】
2008071269.tif 000007